(57)【特許請求の範囲】
【請求項１】
予め定める機能がそれぞれ割当てられる１以上の内部ボタンの図形要素が表示される表示面を有する表示部、表示面内の図形要素を選択可能な操作部、ならびに前記表示部および前記操作部を制御する制御部を含む主装置と、前記内部ボタンに割当てられている機能がそれぞれ割当てられる１以上の外部ボタンであって、操作された外部ボタンに対応するキーコードを出力する外部ボタンを含み、主装置と接続可能な外部装置とを備える画像表示装置であって、
前記制御部は、
前記外部装置の接続の有無を判定し、
前記外部装置が接続された状態では、前記内部ボタンの図形要素を前記表示面から消去させるとともに、前記外部ボタンが操作された場合は、操作された前記外部ボタンに対応するキーコードの入力を受け、
前記外部装置が接続されていない非接続状態では、前記内部ボタンの図形要素を前記表示面に表示させることを特徴とする画像表示装置。
【請求項２】
前記表示部の表示面に図形要素が表示される内部ボタンは、前記外部ボタンに割当てられる機能と同じ機能が割当てられる内部ボタンと、前記外部ボタンに割当てられる機能と異なる機能が割当てられる内部ボタンとを含み、
前記制御部は、前記外部装置が接続された状態では、前記外部ボタンと同じ機能が割当てられる内部ボタンの図形要素だけを、前記表示面から消去させることを特徴とする請求項１に記載の画像表示装置。
【請求項３】
前記制御部は、前記外部装置が接続されていない非接続状態では、前記外部ボタンと同じ機能が割当てられる内部ボタンの図形要素を、前記表示面に表示させることを特徴とする請求項２に記載の画像表示装置。
【請求項４】
前記表示部の表示面は、前記内部ボタンの図形要素が表示される操作領域と、前記表示面の前記操作領域以外の領域である表示領域とを含み、
前記制御部は、１以上の前記内部ボタンの図形要素が前記表示面から消去された状態では、消去された内部ボタンの図形要素の表示に要した分だけ前記操作領域を縮小させ、かつ、前記操作領域の縮小分だけ前記表示領域を拡大させることを特徴とする請求項１〜３のいずれか１つに記載の画像表示装置。
【請求項５】
前記制御部は、１以上の前記内部ボタンの図形要素が前記表示面に表示された状態では、表示される内部ボタンの図形要素の表示に要する分だけ前記操作領域を拡大させ、かつ、前記操作領域の拡大分だけ前記表示領域を縮小させることを特徴とする請求項４に記載の画像表示装置。
【請求項６】
前記制御部は、表示に要する面積が並べ換え前の面積以下になるように表示すべき前記内部ボタンの図形要素を並べ換えさせ、並べ換え後の前記内部ボタンの図形要素を表示可能な大きさに前記操作領域を縮小させることを特徴とする請求項４または５に記載の画像表示装置。
【発明の詳細な説明】
【技術分野】
【０００１】
本発明は、内部ボタンを備える主装置および外部ボタンを備える外部装置を含む画像表示装置に関する。
【背景技術】
【０００２】
従来、電子ホワイトボードまたは電子黒板に代表される従来技術の画像表示装置は、会議や授業などにおいて、多人数の参加者に情報を提示すべき状況下で、参加者が情報を板書するために用いられる。また従来技術の画像表示装置は、多人数の参加者に既存の画像を閲覧させるべき状況下で、該既存の画像を目視表示するために用いられることもある。
【０００３】
従来技術の画像表示装置は、画像を表示する表示面を有する表示部と、情報を入力するための操作部と、画像表示装置を制御する制御部とを含む。情報入力のために使用者が操作部を操作すると、操作によって入力された情報を制御部が画像化して表示部の表示面に目視表示させる。従来技術の画像表示装置の操作部は、たとえば、文字および図形の手書き入力が可能な操作面を有するタッチパネルによって実現される。従来技術の画像表示装置の表示部としては、たとえば、液晶ディスプレイ（Liquid Crystal Display）が用いられる。
【０００４】
従来技術の画像表示装置の各種の機能の実行を使用者が指示するために、従来技術の画像表示装置の表示面には、各種の機能が割当てられた１以上の内部ボタンの図形要素が表示されている。内部ボタンの図形要素とは、グラフィカル ユーザ インタフェース（ 
Graphical User Interface：GUI）におけるアイコンおよびボタンに相当する。使用者が操作部を操作して内部ボタンを個別に選択すると、選択された内部ボタンに割当てられた機能が能動化される。内部ボタンに割当てられる機能とは、たとえば、手書き文字入力時に文字および図形を描画するペン機能、描かれた文字および図形の一部を消去する消しゴム機能、表示内容をデータ化して記憶する保存機能、表示内容を画像化して印刷させる印刷機能を含む。
【０００５】
内部ボタンの図形要素の表示に際し、表示部の表示面は、１以上の内部ボタンの図形要素を表示する操作領域と、表示面内の操作領域以外の残余領域である表示領域とを含む。操作領域とは、所謂ツールバーに相当する。従来技術の画像表示装置において表示されるべき画像化された情報であるコンテンツは、表示領域に表示される。図形要素表示時には、表示部の表示面全体の大きさよりも操作領域の分だけ表示領域の大きさが小さいので、コンテンツの表示に表示面全体を使用することが難しい。
【０００６】
このような構成を有する従来技術の画像表示装置において、使用者の入力補助のために、１以上の外部ボタンを含む外部装置が用いられることがある。表示部および操作部を含む主装置に外部装置が接続される状況下において、表示部の操作領域に表示される内部ボタンに割当てられた機能が、外部装置の外部ボタンにも割当てられる。外部装置の外部ボタンを使用者が操作することによって、操作領域の内部ボタンを選択することなく、該内部ボタンに割当てられる機能が能動化される。
【０００７】
本件出願人は、特許文献１において、操作部である入力部と表示部とを含む表示装置、および外部装置である外付けキーボードを備える電子機器を開示している。特許文献１において、表示装置の表示部は、電子機器の動作に係る制御項目に割当てられた複数のボタンの図形要素を表示している。操作部は、表示部に図形要素が表示されるボタンの選択、およびボタンに関連付けられた制御項目に関連する情報の入力に用いられる。外付けキーボードは、文字などが割振られた複数の機械的な操作キーを有し、表示装置に着脱自在に接続される。
【０００８】
特許文献１の電子機器において、外付けキーボードが表示装置に接続されている間、表示部に表示されるボタンに割当てられた制御項目が、外付けキーボードの操作キーにも割当てられる。かつ、操作キーに割当てられた制御項目を使用者に容易に識別させるために、外付けキーボードが表示装置に接続されている間、制御項目が割当てられた操作キーに割振られた文字が、該操作キーと同じ制御項目が割当てられた表示部のボタンの図形要素と重ねて表示される。特許文献１の電子機器において、外付けキーボードが表示装置に接続されている間、外付けキーボードの操作キーを使用者が操作すれば、該電子機器に対して、該操作キーに割当てられた制御項目に付いての入力が実行される。
【先行技術文献】
【特許文献】
【０００９】
【特許文献１】特開２００６−１４６３３０号公報
【発明の概要】
【発明が解決しようとする課題】
【００１０】
上述したように、主装置に外部装置が接続される構成の画像表示装置において、表示部の操作領域に図形要素が表示される内部ボタンに割当てられた機能が、外部装置の外部ボタンにも割当てられる。このような構成の従来技術の画像表示装置は、或る機能に割当てられた主装置の操作領域の内部ボタンの図形要素と、該内部ボタンと同じ機能に割当てられた外部装置の外部ボタンとが、重複して存在することになる。
【００１１】
従来技術の画像表示装置では、外部装置接続時に外部ボタンと機能が重複した内部ボタンの図形要素が表示されたままなので、表示面全体の大きさよりも操作領域の分だけ表示領域の大きさが小さくなる。このため、コンテンツを表示するための表示領域ができるだけ大きいことが望まれる電子黒板などとして従来技術の画像表示装置が用いられる場合、従来技術の画像表示装置の使い勝手の向上が難しい。
【００１２】
前述の特許文献１の電子機器は、外付けキーボードの接続中も表示部のボタンの図形要素が表示されている。このため、特許文献１の電子機器は、機能キーに割当てられた制御項目を使用者に理解させるために、外付けキーボードの接続中に、該機能キーに割振られる文字を、該機能キーと同じ制御項目が割当てられた表示部のボタンの図形要素に、重ねて表示させている。特許文献１の電子機器では、制御項目に割当てられた複数のボタンの図形要素の表示に表示部全体が用いられており、表示部が操作領域と表示領域に分けられていない。このため、特許文献１の技術では、機能が重複した機能キーおよびボタンの図形要素の並存に起因する表示領域の縮小を解消することは難しい。
【００１３】
従来技術の画像表示装置における内部ボタンの図形要素の表示状態の切換え手法を説明するための動作図である。従来技術の画像表示装置において、機能が重複した内部ボタンの図形要素および外部ボタンの並存を解消するために、図６（Ａ）に示すように、操作領域４０の最小化ボタン４３が、主装置の表示装置の表示面内の操作領域４０に予め用意されている。操作領域４０の最小化ボタン４３は、主装置の表示部の表示面から操作領域４０の表示を消去する機能に割当てられている。使用者が操作領域４０の最小化ボタン４３を選択すると、主装置の表示部の表示面から操作領域４０が消去され、操作領域４０の分だけ表示領域４１が拡大される。
【００１４】
また従来技術の画像表示装置において、操作領域４０にマウスのカーソルが重ねられた状態でマウスが右クリックされる動作に応答して、図６（Ｂ）に示すようなメニューダイアログが表示面にさらに表示されることもある。図６（Ｂ）のメニューダイアログの選択肢のうちの操作領域４０の消去機能に割当てられた選択肢を使用者が選択すると、主装置の表示部の表示面から操作領域４０が消去され、操作領域４０の分だけ表示領域４１が拡大される。
【００１５】
図６（Ａ）のような最小化ボタンが用意される場合、および図６（Ｂ）のようなメニューダイアログが容易される場合、表示面一杯を表示領域４１として用いるには、操作者が最小化ボタンや選択肢の選択のために操作部を操作する必要がある。このため、前述の構成の従来技術の画像表示装置は、操作が煩雑になり、使い勝手がよくない。
【００１６】
また、従来技術の画像表示装置において、操作領域４０に図形要素が表示される内部ボタンに、外部ボタンと機能が重複した内部ボタンだけでなく、外部ボタンと機能が重複しない内部ボタンが含まれる場合がある。前述の場合、操作領域４０の最小化ボタンを用いて操作領域４０全体が消去されるばあい、外部ボタンと機能が重複しない内部ボタンに割当てられた機能が使用困難になるため、従来技術の画像表示装置の使い勝手がさらに悪くなる。
【００１７】
本発明の目的は、１以上の内部ボタンを備える主装置と１以上の外部ボタンを含んで主装置に接続可能な外部装置を備える画像表示装置において、同じ機能が割当てられた内部ボタンおよび外部ボタンの並存を容易に解消可能な画像表示装置を提供することである。
【課題を解決するための手段】
【００１８】
本発明は、予め定める機能がそれぞれ割当てられる１以上の内部ボタンの図形要素が表示される表示面を有する表示部、表示面内の図形要素を選択可能な操作部、ならびに前記表示部および前記操作部を制御する制御部を含む主装置と、前記内部ボタンに割当てられている機能がそれぞれ割当てられる１以上の外部ボタンであって、操作された外部ボタンに対応するキーコードを出力する外部ボタンを含み、主装置と接続可能な外部装置とを備える画像表示装置であって、
前記制御部は、
前記外部装置の接続の有無を判定し、
前記外部装置が接続された状態では、前記内部ボタンの図形要素を前記表示面から消去させるとともに、前記外部ボタンが操作された場合は、操作された前記外部ボタンに対応するキーコードの入力を受け、
前記外部装置が接続されていない非接続状態では、前記内部ボタンの図形要素を前記表示面に表示させることを特徴とする画像表示装置である。
【００１９】
また本発明は、前記表示部の表示面に図形要素が表示される内部ボタンが、前記外部ボタンに割当てられる機能と同じ機能が割当てられる内部ボタンと、前記外部ボタンに割当てられる機能と異なる機能が割当てられる内部ボタンとを含み、
前記制御部は、前記外部装置が接続された状態では、前記外部ボタンと同じ機能が割当てられる内部ボタンの図形要素だけを、前記表示面から消去させることを特徴とする。
【００２０】
さらにまた本発明は、前記制御部が、前記外部装置が接続されていない非接続状態では、前記外部ボタンと同じ機能が割当てられる内部ボタンの図形要素を、前記表示面に表示させることを特徴とする。
【００２１】
また本発明は、前記表示部の表示面が、前記内部ボタンの図形要素が表示される操作領域と、前記表示面の前記操作領域以外の領域である表示領域とを含み、
前記制御部は、１以上の前記内部ボタンの図形要素が前記表示面から消去された状態では、消去された内部ボタンの図形要素の表示に要した分だけ前記操作領域を縮小させ、かつ、前記操作領域の縮小分だけ前記表示領域を拡大させることを特徴とする。
【００２２】
さらにまた本発明は、前記制御部が、１以上の前記内部ボタンの図形要素が前記表示面に表示された状態では、表示される内部ボタンの図形要素の表示に要する分だけ前記操作領域を拡大させ、かつ、前記操作領域の拡大分だけ前記表示領域を縮小させることを特徴とする。
【００２３】
また本発明は、前記制御部が、表示に要する面積が並べ換え前の面積以下になるように表示すべき前記内部ボタンの図形要素を並べ換えさせ、並べ換え後の前記内部ボタンの図形要素を表示可能な大きさに前記操作領域を縮小することを特徴とする。
【発明の効果】
【００２４】
以上のように本発明によれば、主装置と外部装置とを備える画像表示装置において、主装置が、予め定める機能がそれぞれ割当てられる１以上の内部ボタンの図形要素が表示される表示面を有する表示部と、表示面内の図形要素を選択可能な操作部と、主装置を制御する制御部とを含み、外部装置が、前記内部ボタンに割当てられている機能がそれぞれ割当てられる１以上の外部ボタンであって、操作された外部ボタンに対応するキーコードを出力する外部ボタンを含み、主装置と接続可能に構成される。このような画像表示装置において、前記外部装置の接続の有無が判定され、前記外部装置が接続された状態では、前記内部ボタンの図形要素を前記表示面から消去され、外部ボタンが操作された場合は、操作された外部ボタンに対応するキーコードの入力を受ける。また、前記外部装置が接続されていない非接続状態では、前記内部ボタンの図形要素を前記表示面に表示される。
【００２５】
これによって、画像表示装置において、外部装置接続時に内部ボタンの図形要素が自動的に消去され、外部ボタンが操作された場合は、操作された外部ボタンに対応するキーコードの入力を受ける。また、外部装置非接続時に内部ボタンの図形要素が自動的に表示される。そのため、機能が相互に重複する内部ボタンおよび外部ボタンの並存が自動的に解消され、かつ、外部装置非接続時に内部ボタンが自動的に復帰する。これによって、画像表示装置の操作性が向上されるので、画像表示装置の使い勝手が改善される。
【００２６】
また本発明によれば、前記表示部の表示面に図形要素が表示される内部ボタンが、前記外部ボタンに割当てられる機能と同じ機能が割当てられる内部ボタンと、前記外部ボタンに割当てられる機能と異なる機能が割当てられる内部ボタンとの２種類を含む。このような構成の画像表示装置において、前記外部装置が接続された状態では、前記外部ボタンと同じ機能が割当てられる内部ボタンの図形要素だけが、前記表示面から消去される。
【００２７】
これによって、前記外部ボタンと機能が重複する内部ボタンの図形要素および前記外部ボタンと機能の重複が無い内部ボタンの図形要素の両方が表示部に表示される構成を有する画像表示装置において、外部装置接続時に、前記外部ボタンと機能が重複する内部ボタンの図形要素だけが選択的に自動消去され、外部ボタンと機能が重複しない内部ボタンが表示され続ける。そのため、上述の構成を有する本発明の画像表示装置において、内部ボタンだけに割当てられる機能が使用可能な状態が継続されつつ、機能が相互に重複する内部ボタンおよび外部ボタンの並存が自動的に解消される。これによって、画像表示装置の操作性がさらに向上されるので、画像表示装置の使い勝手がさらに改善される。
【００２８】
さらにまた本発明によれば、画像表示装置が前述の２種類の内部ボタンを有する構成であるならば、前記外部装置が接続されていない非接続状態では、前記外部ボタンと同じ機能が割当てられる内部ボタンの図形要素が、前記表示面に表示される。
【００２９】
これによって、前記外部ボタンと機能が重複する内部ボタンの図形要素および前記外部ボタンと機能の重複が無い内部ボタンの図形要素が表示部に表示される構成を有する画像表示装置において、外部装置接続時に選択的に自動消去された内部ボタンの図形要素が、外部装置非接続時に自動的に表示される。そのため、内部ボタンだけに割当てられる機能が使用可能な状態が継続されつつ、機能が相互に重複する内部ボタンおよび外部ボタンの並存が自動的に解消され、かつ、外部装置非接続時に内部ボタンが自動的に復帰する。これによって、画像表示装置の操作性がさらに向上されるので、画像表示装置の使い勝手がさらに改善される。
【００３０】
また本発明によれば、前記表示部の表示面が、前記内部ボタンの図形要素が表示される操作領域と、前記表示面の前記操作領域以外の領域である表示領域とを含む。このような構成の画像表示装置において、１以上の前記内部ボタンの図形要素が前記表示面から消去される場合、消去される内部ボタンの図形要素の表示に要した分だけ前記操作領域が縮小され、かつ、前記操作領域の縮小分だけ前記表示領域が拡大される。
【００３１】
これによって、上述の操作領域および表示領域を表示面が含む構成を有する画像表示装置において、外部装置接続時に、消去される図形要素の分だけ前記操作領域が自動的に縮小され、かつ、前記操作領域の縮小分だけ前記表示領域が自動的に拡大される。そのため、外部装置接続時に、自己が取り得る最大の大きさに表示領域が自動的に拡大される。したがって、操作領域以外の残余領域である表示領域が常にできるだけ大きいことが望まれる状況下で画像表示装置が用いられる場合、画像表示装置の操作性がさらに向上されるので、画像表示装置の使い勝手がさらに改善される。
【００３２】
さらにまた本発明によれば、画像表示装置が表示面内に操作領域と表示領域とが設定される構成では、１以上の前記内部ボタンの図形要素が前記表示面に表示される場合、表示される内部ボタンの図形要素の表示に要する分だけ前記操作領域が拡大され、かつ、前記操作領域の拡大分だけ前記表示領域が縮小される。
【００３３】
これによって、上述の操作領域および表示領域を表示面が含む構成を有する画像表示装置において、外部装置接続時に自動縮小された操作領域が外部装置非接続時に自動的に拡大され、かつ、操作領域の拡大に合せて表示領域が縮小される。そのため、操作領域以外の残余領域である表示領域が常にできるだけ大きいことが望まれる状況下で画像表示装置が用いられる場合、外部装置接続時に表示領域が自動的に拡大されるだけでなく、外部装置非接続時には表示領域が自動的に縮小される。したがって、画像表示装置の操作性がさらに向上されるので、画像表示装置の使い勝手がさらに改善される。
【００３４】
また本発明によれば、画像表示装置が表示面内に操作領域と表示領域とが設定される構成であるならば、表示に要する面積が並べ換え前の面積以下になるように表示すべき前記内部ボタンの図形要素が並べ換えられ、並べ換え後の前記内部ボタンの図形要素を表示可能な大きさに前記操作領域が縮小される。
【００３５】
これによって、上述の操作領域および表示領域を表示面が含む構成を有する画像表示装置において、外部装置接続時に、表示すべき１以上の図形要素を表示可能であってかつできるだけ面積が小さくなるように、前記操作領域が縮小される。これによって、表示領域が常により広くなるように自動的に図形要素の表示状態が制御される。したがって、画像表示装置の操作性がさらに向上されるので、画像表示装置の使い勝手がさらに改善される。
【図面の簡単な説明】
【００３６】
【図１】本発明の実施の一形態である画像表示装置１の構成を示すブロック図である。
【図２】本実施形態の画像表示装置１の外観を示す図である。
【図３】本実施形態の画像表示装置１における内部ボタンの図形要素７の表示状態の第１の切換え手法を説明するための動作図である。
【図４】本実施形態の画像表示装置１における内部ボタンの図形要素７の表示状態の第２の切換え手法を説明するための動作図である。
【図５】本実施形態の画像表示装置１における内部ボタンの図形要素７の表示状態の制御処理を説明するためのフローチャートである。
【図６】従来技術の画像表示装置における内部ボタンの図形要素の表示状態の切換え手法を説明するための動作図である。
【発明を実施するための形態】
【００３７】
図１は、本発明の実施の一形態である画像表示装置１の構成を示すブロック図である。図２は、本実施形態の画像表示装置１の外観を示す図である。図１と図２とを併せて説明する。
【００３８】
本実施形態の画像表示装置１は、主装置３および外部装置４を備える。外部装置４は、主装置３と接続／非接続自在に接続される。主装置３は、表示部１０と、操作部１１と、制御部１２とを含む。外部装置４は、１以上の外部ボタン８を含む。
【００３９】
予め定める機能がそれぞれ割当てられる１以上の内部ボタンの図形要素７が、主装置３の表示部１０の表示面１４に表示される。操作部１１は、操作者の操作に応答して、表示面１４内の図形要素７を選択可能である。制御部１２は、主装置３の構成要素を制御する。外部ボタン８には、内部ボタンに割当てられている機能が、１以上の外部ボタン８にそれぞれ割当てられる。
【００４０】
使用者が操作部１１を操作して図形要素７を個別に選択すると、選択された図形要素７に対応する内部ボタンに割当てられた機能が能動化される。内部ボタンの図形要素７とは、グラフィカル ユーザ インタフェース（Graphical User Interface：GUI）におけるアイコンおよびボタンに相当する。図形要素７と操作部１１による選択との組合わせによって、内部ボタンが実現される。また、外部装置４が接続されている場合、外部装置４の外部ボタン８への操作に応答して、該外部ボタンに割当てられる機能が能動化される。
【００４１】
本実施形態の画像表示装置１において、主装置３の制御部１２は、外部装置４の接続／非接続に応答して、内部ボタンの図形要素７を消去および再表示させる。すなわち、主装置３の制御部１２は、外部装置４の接続の有無を判定して、外部装置４が接続されている場合、内部ボタンの図形要素７を表示面１４から消去させ、接続されていた外部装置４が非接続になる場合、内部ボタンの図形要素７を表示面１４に再表示させる。
【００４２】
これによって、本実施形態の画像表示装置１において、外部装置４の接続時に内部ボタンの図形要素７が自動的に消去され、外部装置４の非接続時に内部ボタンの図形要素７が自動的に再表示される。そのため、機能が相互に重複する内部ボタンおよび外部ボタン８の並存が自動的に解消され、かつ、外部装置４の非接続時に内部ボタンが自動的に復帰する。このため、本実施形態の画像表示装置１では、内部ボタンの図形要素７の消去および再表示のために、最小化ボタンを操作者が操作する必要が無い。これによって、本実施形態の画像表示装置１の操作性が向上されるので、本実施形態の画像表示装置１の使い勝手をよくすることができる。
【００４３】
本実施形態の画像表示装置１において、好ましくは、表示部１０の表示面１４に図形要素７が表示される内部ボタンが、外部ボタン８に割当てられる機能と同じ機能が割当てられる内部ボタンと、外部ボタン８に割当てられる機能と異なる機能が割当てられる内部ボタンとの２種類を含む。２種類の内部ボタンが含まれる場合、主装置３の制御部１２が、外部装置４が接続されている場合、外部ボタン８と同じ機能が割当てられる内部ボタンの図形要素７だけを、表示面１４から消去させる。
【００４４】
これによって、上述の２種類の内部ボタンの図形要素７が表示される構成を有する本実施形態の画像表示装置１において、外部装置４の接続時に、外部ボタン８と機能が重複する内部ボタンの図形要素７だけが選択的に自動消去され、外部ボタン８と機能が重複しない内部ボタンが表示され続ける。そのため、上述の構成を有する本実施形態の画像表示装置１において、内部ボタンだけに割当てられる機能が使用可能な状態が継続されつつ、機能が相互に重複する内部ボタンおよび外部ボタン８の並存が自動的に解消される。これによって、本実施形態の画像表示装置１の操作性がさらに向上されるので、本実施形態の画像表示装置１の使い勝手がさらに改善される。
【００４５】
本実施形態の画像表示装置１が上述の２種類の内部ボタンの図形要素７を表示する構成である状況下において、好ましくは、主装置３の制御部１２が、外部装置４が非接続である場合、外部ボタン８と同じ機能が割当てられる内部ボタンの図形要素７を、表示面１４に再表示させる。
【００４６】
これによって、上述の構成を有する本実施形態の画像表示装置１において、外部装置４の接続時に選択的に自動消去された内部ボタンの図形要素７が、外部装置４の非接続時に自動的に再表示される。そのため、上述の構成を有する本実施形態の画像表示装置１において、内部ボタンだけに割当てられる機能が使用可能な状態が継続されつつ、機能が相互に重複する内部ボタンおよび外部ボタン８の並存が自動的に解消され、かつ、外部装置４の非接続時に内部ボタンが自動的に復帰する。これによって、本実施形態の画像表示装置１の操作性がさらに向上されるので、本実施形態の画像表示装置１の使い勝手がさらに改善される。
【００４７】
本実施形態の画像表示装置１において、好ましくは、操作領域３０と表示領域３１とが、表示部１０の表示面１４に含まれる。操作領域３０は、１以上の内部ボタンの図形要素７を表示する。表示領域３１は、表示面１４内の操作領域３０以外の残余領域である。操作領域３０が所謂ツールバーに相当し、表示領域３１が所謂クライアント領域に相当する。たとえば、本実施形態の画像表示装置１で表示されるべき画像化された情報であるコンテンツは、表示領域３１に表示される。
【００４８】
上述の操作領域３０および表示領域３１を表示面１４が含む構成である本実施形態の画像表示装置１において、１以上の内部ボタンの図形要素７が表示面１４から消去される場合、主装置３の制御部１２が、消去される内部ボタンの図形要素７の表示に要した分だけ操作領域３０を縮小し、かつ、操作領域３０の縮小分だけ表示領域３１を拡大させる。
【００４９】
これによって、上述の構成を有する本実施形態の画像表示装置１において、外部装置４の接続時に、消去される図形要素７の分だけ操作領域３０が自動的に縮小され、かつ、操作領域３０の縮小分だけ表示領域３１が自動的に拡大される。そのため、外部装置４の接続時に自己が取得る最大の大きさに、表示領域３１が自動的に拡大される。したがって、本実施形態の画像表示装置１の操作性がさらに向上されるので、本実施形態の画像表示装置１の使い勝手がさらに改善される。
【００５０】
本実施形態の画像表示装置１が上述の操作領域３０および表示領域３１を含む構成である状況下において、好ましくは、主装置３の制御部１２が、１以上の内部ボタンの図形要素７が表示面１４に再表示される場合、再表示される内部ボタンの図形要素７の表示に要する分だけ操作領域３０を拡大し、かつ、操作領域３０の拡大分だけ表示領域３１を縮小させる。
【００５１】
これによって、上述の構成を有する本実施形態の画像表示装置１において、外部装置４の接続時に自動縮小された操作領域３０が外部装置４の非接続時に自動的に拡大され、かつ、操作領域３０のの拡大に合せて表示領域３１が縮小される。そのため、外部装置４の接続時に表示領域３１が自動的に拡大されるだけでなく、外部装置４の非接続時には表示領域３１が自動的に縮小される。したがって、本実施形態の画像表示装置１の操作性がさらに向上されるので、本実施形態の画像表示装置１の使い勝手がさらに改善される。
【００５２】
特に、操作領域３０以外の残余領域である表示領域３１が常にできるだけ大きいことが望まれる状況下で本実施形態の画像表示装置１が用いられる場合、外部装置４の着脱に応じて図形要素７が消去または再表示される際に、上述した操作領域３０および表示領域３１の拡大縮小が実行されることが好ましい。たとえば、本実施形態の画像表示装置１が所謂電子黒板として用いられ、使用者が描画した文字や図形が表示領域３１に表示される場合、外部装置４の着脱に応じて、文字や図形の描画に用いられる表示領域３１が常にできるだけ大きく設定されるため、使い勝手が向上される。
【００５３】
本実施形態の画像表示装置１が外部装置４の着脱に応じて図形要素７を消去または再表示させる構成である状況下において、さらに好ましくは、主装置３の制御部１２が、表示に要する面積が並べ換え前の面積以下になるように表示すべき内部ボタンの図形要素７を並べ換え、並べ換え後の内部ボタンの図形要素７を表示可能な大きさになるように、操作領域３０を縮小する。
【００５４】
これによって、上述の状況下の本発明の画像表示装置１において、外部装置４の接続時に、表示すべき１以上の図形要素７を表示可能であってかつできるだけ面積が小さくなるように操作領域３０が縮小され、操作領域３０の縮小分だけ表示領域３１が拡大される。これによって、表示領域３１が常により広くなるように、図形要素７の表示状態が自動的に制御される。したがって、本実施形態の画像表示装置１の操作性がさらに向上されるので、本実施形態の画像表示装置１の使い勝手がさらに改善される。
【００５５】
たとえば、外部ボタン８と機能が重複する内部ボタンと、外部ボタン８と機能が重複しない内部ボタンとの２種類が含まれる状況下において、外部ボタン８と機能が重複する内部ボタンの図形要素７が消去されるならば、操作領域３０内の図形要素７の配列が虫食い状態になることがある。このような状態において、表示に要する面積が並べ換え前よりも少なくなるように表示すべき図形要素７が並べ換えられる場合、並べ換え後の操作領域３０は、並べ換えが無い場合の操作領域３０よりも狭い。そのため、前述の状況下において、図形要素７の並べ換えが有る場合の表示領域３１は、並べ換えが無い場合の表示領域３１よりも広い。これによって、本実施形態の画像表示装置１の使い勝手がさらに改善される。
【００５６】
図１の具体的な構成例を、以下に説明する。図１の具体例の画像表示装置１において、主装置３は、表示部１０と操作部１１と制御部１２との他に、記憶部１６と外部接続部１７とを含む。操作部１１は、たとえば、文字および図形の手書き入力が可能な操作面を有するタッチパネルによって実現される。表示部１０は、たとえば、液晶ディスプレイ（Liquid Crystal Display）によって実現される。表示部１０は、表示制御部２０と、表示面１４を備える表示素子２１とを含む。操作部１１は、タッチパネルインタフェイス２２と、タッチパネル素子２３とを含む。
【００５７】
図１の具体例では、主装置３が、主装置本体２７と主側コントローラ２８とを備える構成になっている。主装置本体２７は、操作部１１のタッチパネル素子２３と表示部１０の表示素子２１とを含む。主側コントローラ２８は、制御部１２と、表示部１０の表示制御部２０と、操作部１１のタッチパネルインタフェイス２２と、記憶部１６と、外部接続部１７とを含む。
【００５８】
主装置本体２７は、操作者が目視可能な位置に配置され、操作者に情報を画像化して提示し、かつ操作者による操作を受付ける。たとえば、主装置本体２７は、電子ホワイトボードの本体部分であるタッチディスプレイに相当する。
【００５９】
主側コントローラ２８は、ホワイトボードなどに代表される画像表示装置としての機能を主装置３に実現させるためのコントローラである。主側コントローラ２８は、たとえば、動画ならびに静止画の表示機能と、タッチパネル素子２３から入力された文字および図形などのデータを図表化して前述の動画ならびに静止画と合成する機能と、無線通信機能とを含む各種機能を有する。主側コントローラ２８は、たとえば、専用装置が用意されてもよく、一般的なパーソナルコンピュータに主側コントローラ２８を実現するためのプログラムをインストールして実行させることによって実現されてもよい。
【００６０】
表示部１０の表示素子２１は、主装置３側で情報を目視表示するための表示素子である。たとえば、表示部１０の表示素子２１は、液晶ディスプレイ素子(Liquid Crystal 
Display：LCD)、または有機エレクトロルミネッセンス(Electro-Luminescence：EL)素子、陰極線管、ならびに投影型表示素子によって実現される。
【００６１】
表示部１０の表示制御部２０は、動画および静止画などを含む入力された画像のデータを、表示素子２１で表示するための映像のデータに加工して、表示部１０の表示素子２１に転送する。表示部１０の表示制御部２０は、たとえば、一般的なパーソナルコンピュータのグラフィックカードで実現される。
【００６２】
操作部１１のタッチパネル素子２３は、操作者によるタッチを検出するためのデバイスである。操作部１１のタッチパネル素子２３は、たとえば、表示部１０の表示素子２１の表示面１４と重なる位置に設置される。操作部１１のタッチパネル素子２３は、表示部１０の表示素子２１の枠部分に、さらに設置されてもよい。操作部１１のタッチパネル素子２３は、操作者によるタッチが検出可能であれば、どのような検出方式を用いてもよい。
【００６３】
操作部１１のタッチパネルインタフェイス２２は、操作部１１のタッチパネル素子２３からのデータを受信するためのインタフェースである。タッチパネルインタフェイス２２は、タッチパネル素子２３からのデータを受信可能であれば、どのような方式が用いられてもよい。たとえば、タッチパネルインタフェイス２２の方式として、USB(Universal 
Serial Bus)、およびRS232C (Recommended Standard  232  C)が挙げられる。
【００６４】
記憶部１６は、主装置３で用いられるアプリケーションプログラム、および各種のデータなどを記憶する。また記憶部１６は、主装置３内の構成要素によって作業領域として利用されることもある。記憶部１６は、たとえば、揮発性の記憶装置であるランダムアクセスメモリ２５(Random Access Memory：RAM)、および不揮発性の記憶装置であるリードオンリメモリ２４(Read Only Memory：ROM)を含む。
【００６５】
図１の具体例において、外部ボタン８が、操作者が直接押下可能な構造のハードウェアボタンで実現されている。各外部ボタン８は、各外部ボタン８の押下時に所定のキーコードを出力する構造のボタン検出スイッチを備えている。また外部装置４は、主装置３との接続の有無を検知するための接続検知スイッチをさらに備えている。
【００６６】
主装置３の外部接続部１７と外部装置４の外部接続部１８とは、主装置３と外部装置４との間で各種のデータを送受信する。たとえば、外部装置４の外部ボタン８が操作された場合、操作された外部ボタン８に対応するキーコードが、外部装置４の外部接続部１８から主装置３の外部接続部１７に送られ、主装置３の制御部１２に入力される。
【００６７】
主装置３と外部装置４との間のデータ送受は、たとえば、主装置３と外部装置４との間で必要なデータが送受可能な方式であれば、どのような方式が用いられてもよい。たとえば、主装置３と外部装置４との間のデータ送受は、有線方式であってもよく、無線方式であってもよい。たとえば、上述のデータ送受の有線方式として、USB(Universal Serial 
Bus)、およびRS232C (Recommended Standard  232  C)が挙げられる。またたとえば、上述のデータ送受の無線方式として、Wi−Fi(Wireless  Fidelity)方式、Bluetooth（登録商標）方式、NFC(Near field communication)方式が挙げられる。
【００６８】
主装置３と外部装置４との接続および非接続の切換えは、たとえば、主装置３と外部装置４とのデータ送受信が有線方式である場合、主装置３の外部接続部１７と外部装置４の外部接続部１８とを物理的に接続しているケーブルが主装置３または外部装置４から着脱されることで実現される。
【００６９】
主装置３と外部装置４との接続および非接続の切換えは、また主装置３と外部装置４とのデータ送受信が無線方式である場合、主装置３の外部接続部１７と外部装置４の外部接続部１８との間の通信回線を接続および切断することによって実現されてもよい。主装置３と外部装置４との接続および非接続の切換えは、さらに外部装置４の電源のオン・オフなどによって外部装置４の機能を能動化および非能動化させることで実現されてもよい。
【００７０】
内部ボタンに割当てられる機能とは、たとえば、手書き文字入力時に文字および図形を描画するペン機能、描かれた文字および図形の一部を消去する消しゴム機能、表示内容をデータ化して記憶する保存機能、表示内容を画像化して印刷させる印刷機能を含む。また内部ボタンに割当てられる機能として、さらには、ペン機能選択時に描かれる線の複数種類の色および線の太さの組合わせ選択、表示領域内の一部分の範囲指定、範囲指定された部分の表示内容のドラック操作の指定などが挙げられる。
【００７１】
図１および図２の例では、外部ボタン８がハードウェアボタンで実現されている。これに限らず、外部装置４が表示部と操作部とを独自に備え、外部ボタン８がグラフィカル ユーザ インタフェイスで実現される構成であってもよい。
【００７２】
図３は、本実施形態の画像表示装置１における内部ボタンの図形要素７の表示状態の第１の切換え手法を説明するための動作図である。図４は、本実施形態の画像表示装置１における内部ボタンの図形要素７の表示状態の第２の切換え手法を説明するための動作図である。図３と図４とを合せて説明する。
【００７３】
本実施形態の画像表示装置１において、主装置３に外部装置４が接続されていない状態では、図３（Ａ）および図４（Ａ）に示すように、主装置３の表示部１０の表示面１４に、操作領域３０と表示領域３１との両方が設定されている。表示領域３１に表示すべきコンテンツ３３が操作領域３０と表示領域３１との境界３４を跨ぐ場合、コンテンツ３３の中の前述の境界３４よりも操作領域３０側の部分が、操作領域３０によって隠される。
【００７４】
本実施形態の画像表示装置１において、主装置３に外部装置４が接続されている状態では、内部ボタンの図形要素７が表示面１４から消去される。図形要素７の消去に伴い、図形要素７が消去された分だけ操作領域３０が縮小される。この結果、図３（Ｂ）および図４（Ｂ）に示すように、コンテンツ３３内の外部装置４未接続時に操作領域３０によって隠されていた部分が現れる。図３（Ｂ）および図４（Ｂ）の例では、表示領域３１内において操作領域３０の縮小に伴って拡大された部分に、斜線を付して示す。
【００７５】
図３の第１の切換え手法では、外部装置４の接続時に、外部ボタン８と機能が重複する内部ボタンの図形要素７だけでなく、外部ボタン８と機能が重複しない内部ボタンの図形要素７も全て消去されており、全ての図形要素７の消去に伴って操作領域３０全体が縮小されている。これによって、図３の例では、外部装置４の接続／非接続に伴って、操作領域３０の表示および非表示が自動的に切換られる。すなわち、操作領域３０の接続／非接続に伴って、操作領域３０が自動的に最小化および復元される。
【００７６】
以上のような手順によって、第１の切換え手法を用いる本実施形態の画像表示装置１は、外部装置４の接続／非接続に応じて、操作領域３０の表示状態が自動的に切換えられる。そのため、画像表示装置１は、外部装置４を併用することによって、当該装置の表示面１４一杯に、コンテンツ３３を表示させることができる。
【００７７】
図４の第２の切換え手法では、外部装置４の接続時に、外部ボタン８と機能が重複する内部ボタンの図形要素７だけが消去されており、外部ボタン８と機能が重複しない内部ボタンの表示に要する分だけ操作領域３０が残されている。また、外部装置４未接続時の配列よりも外部装置４の接続時の配列のほうが表示に要する面積が少なくなるように、外部ボタン８と機能が重複しない内部ボタンの図形要素７の配列が並べ換えられている。これによって、操作領域３０の接続／非接続に伴って、操作領域３０が自動的に縮小および復元される。
【００７８】
以上のような手順によって、第２の切換え手法を用いる本実施形態の画像表示装置１は、外部装置４の接続／非接続に応じて、内部ボタンの図形要素７の表示状態が自動的かつ選択的に切換えられる。そのため、画像表示装置１は、外部装置４を併用することによって、表示装置の表示面１４のできるだけ広い範囲に、コンテンツ３３を表示することができる。
【００７９】
図５は、本実施形態の画像表示装置１における内部ボタンの図形要素７の表示状態の制御処理を説明するためのフローチャートである。図５の制御処理のルーチンは、たとえば、画像表示装置１を実現する電子ホワイトボードシステムのメインプログラムに、サブルーチンとして組込まれる。
【００８０】
図５のフローチャートにおいて、接続状態フラグＡＣは、主装置３への外部装置４の接続の有無を表すフラグである。接続状態フラグＡＣの値が１である場合、主装置３へ外部装置４が接続されていることを示す。接続状態フラグＡＣの値が０である場合、主装置３へ外部装置４が接続されていないことを示す。
【００８１】
図５の制御手法のルーチンは、たとえば、定期的に実行される。接続状態フラグＡＣは、静的(static)な値であり、最新の図５の制御処理の実行完了時に設定されている値が、次回の図５の制御処理実行開始時まで持越される。画像表示装置１の起動時の接続状態フラグＡＣの値は０である。
【００８２】
図５の制御手法のルーチンの開始タイミングに至ると、ステップＳ０からステップＳ１に進む。ステップＳ１において、制御部１２は、外部装置４が主装置３に接続されているか否かを判断する。外部装置４の接続の有無は、たとえば、制御部１２が、外部装置４に対して予め定めるコマンドを発行し、外部装置４からの応答がある場合、外部装置４が接続されていると判断する。
【００８３】
ステップＳ１の判定時に外部装置４が主装置３に接続されている場合、ステップＳ１からステップＳ２へ進む。ステップＳ２では、接続状態フラグＡＣの値が１であるか否かが判断される。ステップＳ１の判定時に接続状態フラグＡＣの値が０である場合、ステップＳ２からステップＳ３に進む。この場合、内部ボタンの図形要素７が表示された状態の主装置３に外部装置４が接続されたので、該図形要素７の消去が必要になる。
【００８４】
ステップＳ３では、制御部１２が、操作領域３０上の内部ボタンの図形要素７を消去し、該内部ボタンを無効化する。図形要素７の消去に伴い、操作領域３０も縮小する。ステップＳ３では、全ての図形要素７が消去されてもよく、外部ボタン８と機能が重複する内部ボタンの図形要素７だけが消去されてもよくい、その他の基準で図形要素７が消去されてもよい。さらに制御部１２が、操作領域３０の縮小分だけ、表示領域３１を拡大させる。操作領域３０の縮小に伴ってコンテンツ３３の一部が再表示可能ならば、該コンテンツ３３の一部の再表示も行われる。さらに制御部１２が、接続状態フラグＡＣの値を、０からが１へ変更する。変更後、ステップＳ６で図５の制御処理が終了する。
【００８５】
ステップＳ２の判定時に接続状態フラグＡＣの値が１である場合、ステップＳ２からステップＳ６に進み、図５の制御処理が終了する。上記場合には、既に内部ボタンの図形要素７の消去への切換えが前回の制御処理実行時に完了しているため、最新の制御処理実行時に処理を行う必要は無い。
【００８６】
ステップＳ１の判定時に外部装置４が主装置３に接続されていない場合、ステップＳ１からステップＳ４へ進む。ステップＳ４では、接続状態フラグＡＣの値が１であるか否かが判断される。ステップＳ４の判定時に接続状態フラグＡＣの値が１である場合、ステップＳ４からステップＳ５に進む。この場合、内部ボタンの図形要素７が消去された状態の主装置３から外部装置４が非接続にされたので、図形要素７の再表示が必要になる。
【００８７】
ステップＳ５では、制御部１２が、操作領域３０上の内部ボタンの図形要素７を再表示し、該内部ボタンを有効化する。図形要素７の再表示に伴い、操作領域３０も拡大する。ステップＳ３では、全ての図形要素７が再表示されてもよく、外部ボタン８と機能が重複する内部ボタンの図形要素７が再表示されてもよく、その他の基準で図形要素７が再表示されてもよい。さらに制御部１２が、操作領域３０の拡大分だけ、表示領域３１を縮小させる。操作領域３０の拡大に伴ってコンテンツ３３の一部が表示不能ならば、該コンテンツ３３の一部の消去も行われる。さらに制御部１２が、接続状態フラグＡＣの値を、１からが０へ変更する。変更後、ステップＳ６で図５の制御処理が終了する。
【００８８】
ステップＳ４の判定時に接続状態フラグＡＣの値が０である場合、ステップＳ４からステップＳ６に進み、図５の制御処理が終了する。上記場合には、既に内部ボタンの図形要素７の再表示への切換えが前回の制御処理実行時に完了しているため、最新の制御処理実行時に処理を行う必要は無い。以上で、図５のフローチャートの処理が完了する。
【００８９】
以上のような制御処理によって、本実施形態の画像表示装置１は、外部装置４の接続／非接続に応じて、内部ボタンの図形要素７の表示状態が自動的に切換えられる。したがって、画像表示装置１の操作性が向上されるため、画像表示装置１の使い勝手をよくすることができる。
【００９０】
本実施形態の画像表示装置１および画像表示プログラムは、実施形態の構成要素の最良の実施形態の１つである。実施形態の構成要素の詳細構成は、上述の作用効果が発揮可能な構成であれば、上述した構成に限らず、他の様々な構成が用いられてもよい。
【符号の説明】
【００９１】
１  画像表示装置
３  主装置
４  外部装置
７  内部ボタンの図形要素
８  外部ボタン
１０  表示部
１１  操作部
１２  制御部
１４  表示部の表示面
１６  記憶部
１７  主装置の外部接続部
１８  外部装置の外部接続部
２０  表示制御部
２１  表示素子
２２  タッチパネルインタフェイス
２３  タッチパネル素子
２４  リードオンリメモリ
２５  ランダムアクセスメモリ
２７  主装置本体
２８  主側コントローラ
３０  操作領域
３１  表示領域
３３  コンテンツ
【図１】
0005990398.tif 000002
【図２】
0005990398.tif 000003
【図５】
0005990398.tif 000004
【図３】
0005990398.tif 000005
【図４】
0005990398.tif 000006
【図６】
0005990398.tif 000007